(57)【要約】      （修正有）【課題】簡素な構造で、スレート等の既設建造物の屋根にも容易に、かつ強固にソーラーパネルを固定可能なソーラーパネル固定用金具を提供する。【解決手段】ソーラーパネル固定用金具１は、折板屋根３０の突条部３１の上部平坦面３２に面当接する上部平坦面当接部２と、上部平坦面当接部の両側より斜め下方に向かってそれぞれ延出され上部平坦面の両側に設けられた傾斜面３３に面当接する第１および第２傾斜面当接部３，４と、第１または第２傾斜面当接部の下端からそれぞれ延出され折板屋根の突条部間に設けられた下部平坦面３４に面当接する第１および第２下部平坦面当接部５，６を有した折板屋根載置部を備える。また、上部平坦面当接部２は、ソーラーパネル固定用金具を折板屋根に固定するための締結部材を挿通する長孔を有し、上部には、ソーラーパネル架台４０を載置するための凸部８が設けられ、ソーラーパネル架台と凸部は第２締結部材により固定される。【選択図】図４
0003190153.tif 000002
【実用新案登録請求の範囲】
【請求項１】
折板屋根に載置して使用されるソーラーパネル固定用金具であって、
前記折板屋根の突条部の上部平坦面に面当接する上部平坦面当接部と、該上部平坦面当接部の両側より斜め下方に向かってそれぞれ延出され前記上部平坦面の両側にそれぞれ設けられた傾斜面に面当接する第１傾斜面当接部および第２傾斜面当接部と、該第１傾斜面当接部または該第２傾斜面当接部の下端からそれぞれ延出され前記折板屋根の前記突条部間に設けられた下部平坦面に面当接する第１下部平坦面当接部および第２下部平坦面当接部を有した折板屋根載置部を備え、
前記上部平坦面当接部は、前記ソーラーパネル固定用金具を前記折板屋根に固定するための締結部材を挿通するための長孔を有すると共に、前記上部平坦面当接部の上部には、ソーラーパネル架台を載置して固定するための凸部が設けられ、前記ソーラーパネル架台と前記凸部は第２締結部材により固定されるように構成されていることを特徴とするソーラーパネル固定用金具。
【請求項２】
前記締結部材は、前記上部平坦面当接部の上下面にそれぞれ配される防水用パッキンを有している請求項１に記載のソーラーパネル固定用金具。
【請求項３】
前記折板屋根は、既設屋根の上部に載置されたものである請求項１または２に記載のソーラーパネル固定用金具。
【考案の詳細な説明】
【技術分野】
【０００１】
本考案は、屋根上にソーラーパネルを取り付ける際に使用して好適なソーラーパネル固定用金具に関する。
【背景技術】
【０００２】
近年、屋根上にソーラーパネルを取り付け、太陽光の熱エネルギーを電気エネルギーに変換するソーラー発電システムが広く一般に普及しつつある。
【０００３】
ソーラーパネルは軽量化および低廉化が進んでおり、新設のみならず既設建造物の屋根上にも簡単かつ強固にソーラーパネルを固定できるソーラーパネル固定用金具が嘱望されている。例えば、そのようなソーラーパネル固定用金具として、特開２０１２−１６７４２４号の屋根上モジュール架台取付金具等が提案されている。
【０００４】
しかし、従来のものは部品点数が多く取付作業も煩雑で、屋根上における特に横方向の風圧に対してソーラーパネルの固定状態を維持できるかも不安であった。特に、既設スレートなどの既設建造物の屋根にソーラーパネルを固定する場合に不安があった。
【先行技術文献】
【特許文献】
【０００５】
【特許文献１】特開２０１２−１６７４２４号公報
【考案の概要】
【考案が解決しようとする課題】
【０００６】
そこで、本考案の課題は、簡素な構造で屋根上にソーラーパネルを容易に取り付けることができ、既設スレートなどの既設建造物の屋根にも強固にソーラーパネルを固定することができるソーラーパネル固定用金具を提供することにある。
【課題を解決するための手段】
【０００７】
上記課題を解決するものは、折板屋根に載置して使用されるソーラーパネル固定用金具であって、前記折板屋根の突条部の上部平坦面に面当接する上部平坦面当接部と、該上部平坦面当接部の両側より斜め下方に向かってそれぞれ延出され前記上部平坦面の両側にそれぞれ設けられた傾斜面に面当接する第１傾斜面当接部および第２傾斜面当接部と、該第１傾斜面当接部または該第２傾斜面当接部の下端からそれぞれ延出され前記折板屋根の前記突条部間に設けられた下部平坦面に面当接する第１下部平坦面当接部および第２下部平坦面当接部を有した折板屋根載置部を備え、前記上部平坦面当接部は、前記ソーラーパネル固定用金具を前記折板屋根に固定するための締結部材を挿通するための長孔を有すると共に、前記上部平坦面当接部の上部には、ソーラーパネル架台を載置して固定するための凸部が設けられ、前記ソーラーパネル架台と前記凸部は第２締結部材により固定されるように構成されていることを特徴とするソーラーパネル固定用金具である。
【０００８】
前記締結部材は、前記上部平坦面当接部の上下面にそれぞれ配される防水用パッキンを有していることが好ましい。前記折板屋根は、既設屋根の上部に載置されたものであることが好ましい。
【考案の効果】
【０００９】
請求項１に記載したソーラーパネル固定用金具によれば、簡素な構造で屋根上にソーラーパネルを容易に取り付けることができ、折板屋根の上下平坦面および傾斜面に密着させることで既設スレートなどの既設建造物の屋根にも強固にソーラーパネルを固定することができる。
また、締結部材による長孔内の固定位置を調整することで、例えば既設スレート屋根の母屋の通りが悪い場合でも、一直線上にソーラーパネル固定用金具を固定することができ、ソーラーパネルの取り付け精度をより完璧にすることができる。
さらに、折板屋根からソーラーパネルを浮き上がらせることで、折板屋根とソーラーパネルとの間に風が通り、折板屋根の表面および裏面側の温度上昇を防止することができる。
【００１０】
請求項２に記載したソーラーパネル固定用金具によれば、上記請求項１の効果に加え、締結部材の貫通による屋根下への漏水をより確実に防止することができる。
【００１１】
請求項３に記載したソーラーパネル固定用金具によれば、既設スレートなどの既設建造物の屋根にもソーラーパネルを強固に固定することができる。
【図面の簡単な説明】
【００１２】
【図１】本考案のソーラーパネル固定用金具の一実施例の斜視図である。
【図２】図１に示したソーラーパネル固定用金具の正面図である。
【図３】図１に示したソーラーパネル固定用金具の作用（使用例）を説明するための平面図である。
【図４】図１に示したソーラーパネル固定用金具の作用（固定方法）を説明するための部分正面図である。
【考案を実施するための形態】
【００１３】
本考案では、折板屋根３０の突条部３１の上部平坦面３２に面当接する上部平坦面当接部２と、上部平坦面当接部２の両側より斜め下方に向かってそれぞれ延出され上部平坦面３２の両側にそれぞれ設けられた傾斜面３３に面当接する第１傾斜面当接部３および第２傾斜面当接部４と、第１傾斜面当接部３または第２傾斜面当接部４の下端からそれぞれ延出され折板屋根３０の突条部３１間に設けられた下部平坦面３４に面当接する第１下部平坦面当接部５および第２下部平坦面当接部６を有した折板屋根載置部７を備えたパネル固定用金具１を折板屋根３０に載置し折板屋根の上下平坦面および傾斜面に密着させて固定することで、簡素な構造で屋根上にソーラーパネルを容易に取り付けることができると共に、既設スレートなどの既設建造物の屋根にも強固にソーラーパネルを固定することができるソーラーパネル固定用金具１を実現した。
【実施例１】
【００１４】
本考案のソーラーパネル固定用金具を図１ないし図４に示した一実施例を用いて説明する。
この実施例のソーラーパネル固定用金具１は、折板屋根３０の突条部３１の上部平坦面３２に面当接する上部平坦面当接部２と、上部平坦面当接部２の両側より斜め下方に向かってそれぞれ延出され上部平坦面３２の両側にそれぞれ設けられた傾斜面３３に面当接する第１傾斜面当接部３および第２傾斜面当接部４と、第１傾斜面当接部３または第２傾斜面当接部４の下端からそれぞれ延出され折板屋根３０の突条部３１間に設けられた下部平坦面３４に面当接する第１下部平坦面当接部５および第２下部平坦面当接部６を有した折板屋根載置部７と、ソーラーパネル架台４０を載置して固定するための凸部８を有している。そして、ソーラーパネル固定用金具１を折板屋根３０および構造躯体に固定するための締結部材９と、ソーラーパネル架台４０と凸部８とを固定するための第２締結部材１０によりソーラーパネルを固定できるように構成されている。以下、各構成について順次詳述する。
【００１５】
ソーラーパネル固定用金具１は、図４に示すように、折板屋根３０に載置してソーラーパネル架台４０と折板屋根３０との間に介在され、上部でソーラーパネル架台４０に固定される一方、下部で折板屋根３０に固定して使用されるものであり、一体物に構成されている。
【００１６】
ソーラーパネル固定用金具１は、新設屋根にソーラーパネルを取り付ける際に使用することもできるが、この実施例のように、既設スレート屋根や既設木毛屋根等の既設屋根においても使用することができる。なお、既設屋根に使用する場合は、図４に示すように、既設スレート屋根５０等の既設屋根の上方に折板屋根３０を配し、その上にソーラーパネル固定用金具１を介してソーラーパネル架台４０を固定することにより、ソーラーパネルを屋根上に強固に取り付けることができる。
【００１７】
また、ソーラーパネル固定用金具１は、図３に示すように、複数個でソーラーパネル架台４０を折板屋根３０に固定して使用する。この実施例では、６つのソーラーパネル固定用金具１を離間して配し一つのソーラーパネル架台４０を折板屋根３０に固定している。なお、図３ではソーラーパネル架台４０の上方に張設されるソーラーシートは省略されている。
【００１８】
本考案のソーラーパネル固定用金具１の第１の特徴は折板屋根載置部７の形態にある。
折板屋根載置部７は、図１または図２に示すように、上部平坦面当接部２と、第１傾斜面当接部３および第２傾斜面当接部４と、第１下部平坦面当接部５および第２下部平坦面当接部６とを有している。
【００１９】
上部平坦面当接部２は、図４に示すように、ソーラーパネル固定用金具１を折板屋根３０に載置して固定した際に、折板屋根３０の突条部３１の上部平坦面３２の上面に面当接させる部位である。
【００２０】
第１傾斜面当接部３および第２傾斜面当接部４は、上部平坦面当接部２の両側より斜め下方に向かってそれぞれ延出して構成されており、ソーラーパネル固定用金具１を折板屋根３０に載置して固定した際に、上部平坦面３２の両側にそれぞれ設けられた上面側の傾斜面３３にそれぞれ面当接させる部位である。
【００２１】
第１下部平坦面当接部５および第２下部平坦面当接部６は、第１傾斜面当接部３または第２傾斜面当接部４の下端からそれぞれ延出して構成されており、ソーラーパネル固定用金具１を折板屋根３０に載置して固定した際に、折板屋根３０の突条部３１間に設けられた下部平坦面３４の上面に面当接させる部位である。
【００２２】
このように、本考案のソーラーパネル固定用金具１は、折板屋根３０の上面に、屈曲して構成された５面からなる立体構造体である折板屋根載置部７を密着させて固定するため、どのような方向からの強風に対しても固定状態を強固に維持することができる。また、既設スレートなどの既設建造物の屋根に対しても既設スレート等の上方に折板屋根３０を配することで安定的かつ強固にソーラーパネルを固定することができるものである。
【００２３】
上部平坦面当接部２は、図１または図２に示すように、ソーラーパネル固定用金具１を折板屋根３０および構造躯体（図４では母屋６０）に固定するための締結部材９を挿通するための長孔１１を有している。締結部材９の挿通孔を長孔１１とすることにより、締結部材９による長孔１１内の固定位置を調整することで、例えば既設スレート屋根の母屋６０の通りが悪い場合でも、一直線上にソーラーパネル固定用金具１を固定することができ、ソーラーパネルの取り付け精度を完璧にすることができる。
【００２４】
また、上部平坦面当接部２の上部には、ソーラーパネル架台４０を載置して固定するための凸部８が設けられている。この凸部８により、折板屋根３０からソーラーパネル架台４０を浮き上がらせることができ、折板屋根３０とソーラーパネル架台４０との間に風が通り、折板屋根３０の表面および裏面側の温度上昇を防止することができる。
【００２５】
凸部８は、図１に示すように、上部平坦面当接部２の上部の一部を被覆するように構成されており、これにより、長孔１１を上部平坦面当接部２の長手方向に沿って形成できる。
【００２６】
この実施例の凸部８は、図１または図２に示すように、下側が開口した縦断面コの字型に成形された金属材の両下端辺部を上部平坦面当接部２の上面に溶接して形成されているが、これに限定されるものではなく、例えば縦断面コの字型に成形された金属材の両下端辺部を第１傾斜面当接部３および第２傾斜面当接部４、または第１下部平坦面当接部５および第２下部平坦面当接部６に固着したものなども本考案の範疇に包含される。
【００２７】
締結部材９は、ソーラーパネル固定用金具１を折板屋根３０および構造躯体６０に固定するためのものであり、図２に示すように、ボルト９ａと上部平坦面当接部２の上下面にそれぞれ配される防水用パッキン９ｂ，９ｃを有している。これら防水用パッキン９ｂ，９ｃにより、ボルト９ａの貫通による屋根下への漏水をより確実に防止することができる。
【００２８】
そして、締結部材９は、図１または図４に示すように、ボルト９ａが長孔１１、折板屋根３０、構造躯体６０および既設建造物の場合は既設屋根５０を挿通することによりそれらを一体的に固定するように作用する。
【００２９】
第２締結部材１０は、ソーラーパネル架台４０と凸部８とを固定するためのものであり、図１または図２に示すように、ボルト１０ａとナット１０ｂを有している。
【００３０】
そして、ボルト１０ａは凸部８内に配されており、図４に示すように、凸部８の上部に設けられたボルト挿通孔およびソーラーパネル架台４０を挿通してナット１０ｂにて堅結されることにより、ソーラーパネル固定用金具１にソーラーパネル架台４０に固定するように作用する。
【００３１】
つぎに、本考案のソーラーパネル固定用金具によるソーラーパネルの固定方法を図１ないし図４に示した一実施例を用いて説明する。
この実施例のソーラーパネル固定用金具によるソーラーパネルの固定方法は、折板屋根３０に載置して使用されるソーラーパネル固定用金具であって、折板屋根３０の突条部３１の上部平坦面３２に面当接する上部平坦面当接部２と、上部平坦面当接部２の両側より斜め下方に向かってそれぞれ延出され上部平坦面３２の両側にそれぞれ設けられた傾斜面３３に面当接する第１傾斜面当接部３および第２傾斜面当接部４と、第１傾斜面当接部３または第２傾斜面当接部４の下端からそれぞれ延出され折板屋根３０の突条部３１間に設けられた下部平坦面３４にそれぞれ面当接する第１下部平坦面当接部５および第２下部平坦面当接部６を有した折板屋根載置部７を備えたソーラーパネル固定用金具１を折板屋根３０に載置する工程と、ソーラーパネル固定用金具１を締結部材９にて折板屋根３０および構造躯体６０に固定する工程と、ソーラーパネル固定用金具１の上部平坦面当接部２の上部にソーラーパネル架台４０を載置して固定する工程を有していることを特徴とするソーラーパネルの固定方法である。以下、各工程について順次詳述するが、ソーラーパネル固定用金具１の構成については前述した通りであり説明を省略する。
【００３２】
ソーラーパネル固定用金具１を折板屋根３０に載置する工程では、図４に示すように、折板屋根３０の突条部３１の上部平坦面３２に面当接する上部平坦面当接部２と、上部平坦面当接部２の両側より斜め下方に向かって延出され上部平坦面３２の両側にそれぞれ設けられた傾斜面３３に面当接する第１傾斜面当接部３および第２傾斜面当接部４と、第１傾斜面当接部３または第２傾斜面当接部４の下端からそれぞれ延出され折板屋根３０の突条部３１間に設けられた下部平坦面３４に面当接する第１下部平坦面当接部５および第２下部平坦面当接部６を有した折板屋根載置部７を備え、一体物であるソーラーパネル固定用金具１を折板屋根３０に載置する。
【００３３】
ソーラーパネル固定用金具１を締結部材９にて折板屋根３０および構造躯体６０に固定する工程では、締結部材９のボルト９ａを上部平坦面当接部２の長孔１１、折板屋根３０、構造躯体６０および既設建造物の場合は既設屋根５０に螺合させながら挿通させることによりそれらを一体的に固定させる。
【００３４】
ソーラーパネル固定用金具１の上部平坦面当接部２の上部にソーラーパネル架台４０を載置して固定する工程では、図４に示すように、凸部８の上面にソーラーパネル架台４０を配して、ボルト１０ａを凸部８の上部に設けられたボルト挿通孔およびソーラーパネル架台４０に挿通させてナット１０ｂにて堅結することにより、ソーラーパネル固定用金具１にソーラーパネル架台４０が固定される。
【００３５】
このように、本考案のソーラーパネル固定用金具によるソーラーパネルの固定方法は、折板屋根３０に５面で密着する折板屋根載置部７を備えたソーラーパネル固定用金具１を載置して固定すると共に、上部平坦面当接部２の上部にソーラーパネル架台４０を載置して固定するのみで、ソーラーパネル（ソーラーパネル架台４０およびソーラーシート７０とからなる。）を屋根上に固定することができるため、簡素な構造で屋根上にソーラーパネルを容易に取り付けることができる。また、ソーラーパネル固定用金具１は屈曲方向が異なる立体構造に構成された５面で安定して折板屋根３０に密着するため、どのような方向からの強風に対しても固定状態を強固に維持することができる。
【００３６】
さらに、本考案のソーラーパネル固定用金具によるソーラーパネルの固定方法では、既設建造物の屋根に対しては、ソーラーパネル固定用金具１による固定に先立って、既設屋根５０の上部に折板屋根３０を載置する工程を行うことで、既設スレートなどの既設建造物の屋根に対しても安定的かつ強固にソーラーパネルを固定することができる。
【符号の説明】
【００３７】
１    ソーラーパネル固定用金具
２    上部平坦面当接部
３    第１傾斜面当接部
４    第２傾斜面当接部
５    第１下部平坦面当接部
６    第２下部平坦面当接部
７    折板屋根載置部
８    凸部
９    締結部材
１０  第２締結部材
１１  長孔
３０  折板屋根
３１  突条部
３２  上部平坦面
３３  傾斜面
３４  下部平坦面
４０  ソーラーパネル架台
５０  既設屋根
６０  構造躯体
７０  ソーラーシート
【図１】
0003190153.tif 000003
【図２】
0003190153.tif 000004
【図３】
0003190153.tif 000005
【図４】
0003190153.tif 000006